(57)【要約】【課題】外殻ボトルから内容器体本体が離れ易いポリエステル樹脂製多重ボトルを提供する。【解決手段】円筒状の外口部４と、外口部４に連接する肩部５と、肩部５に連接する胴部６。と、胴部６に連接する底部７と、を有し、外圧に対して原形復帰可能な外殻ボトル２と、外殻ボトル２の外口部４内に配設される円筒状の内口部１７と、内口部１７に連接し外殻ボトル２の内面形状に沿う形状の内容器体本体１８と、を有し、外圧により変形する内容器体３と、外口部４と内口部１７との間に形成されて外殻ボトル２と内容器体３との間に外気を導入する通気路２３と、を備えるポリエステル樹脂製多重ボトル１であって、肩部５には、内側へ向かって突出する凹入部２５が設けられ、凹入部２５により外殻ボトル２の内面と内容器体本体１８の外面との間の空隙２６が設けられている。【選択図】図１
2019094072.tif 000002
【特許請求の範囲】
【請求項１】
円筒状の外口部と、該外口部に連接する肩部と、該肩部に連接する胴部と、該胴部に連接する底部と、を有し、外圧に対して原形復帰可能なポリエステル樹脂製の外殻ボトルと、
前記外殻ボトルの前記外口部内に配設される円筒状の内口部と、該内口部に連接し前記外殻ボトルの内面形状に沿う形状の内容器体本体と、を有し、外圧により変形するポリエステル樹脂製の内容器体と、
前記外口部と前記内口部との間に形成されて前記外殻ボトルと前記内容器体との間に外気を導入する通気路と、
を備えるポリエステル樹脂製多重ボトルであって、
前記肩部には、内側へ向かって凹む凹入部が設けられ、
前記外殻ボトルの内面と前記内容器体本体の外面との間には、前記凹入部の周囲に位置させて前記凹入部により空隙が形成され、
前記空隙は前記通気路と連通していることを特徴とするポリエステル樹脂製多重ボトル。
【請求項２】
請求項１記載のポリエステル樹脂製多重ボトルであって、
前記凹入部は、前記肩部の上端部に設けられることを特徴とするポリエステル樹脂製多重ボトル。
【請求項３】
請求項１又は請求項２のポリエステル樹脂製多重ボトルであって、
前記凹入部は、周方向に間隔を存して複数設けられていることを特徴とするポリエステル樹脂製多重ボトル。
【請求項４】
請求項１から請求項３の何れか１項に記載のポリエステル樹脂製多重ボトルであって、
前記凹入部は、前記肩部の表面における前記外口部の下端から前記胴部側へ向かう方向の長さ１２ｍｍの領域の範囲内に設けられ、肩部表面の上下方向長さが２ｍｍ〜８ｍｍ、周方向の長さが２ｍｍ〜８ｍｍ、前記肩部の表面において外側から内側へ向かう方向における凹み深さ１ｍｍ〜５ｍｍに設定されることを特徴とするポリエステル樹脂製多重ボトル。
【請求項５】
請求項１から請求項４の何れか１項に記載のポリエステル樹脂製多重ボトルであって、
前記外殻ボトル及び前記内容器体は、ポリエチレンテレフタレート樹脂からなることを特徴とするポリエステル樹脂製多重ボトル。
【請求項６】
請求項１から請求項５の何れか１項に記載のポリエステル樹脂製多重ボトルであって、
前記肩部は、少なくとも一部が断面多角錐状に形成され、
前記凹入部は、前記断面多角錐状の部分の隣接する角部同士の間に配置されていることを特徴とするポリエステル樹脂製多重ボトル。
【請求項７】
請求項１から請求項６の何れか１項に記載のポリエステル樹脂製多重ボトルであって、
前記外殻ボトルと前記内容器体本体の間に離型剤が介在されていることを特徴とするポリエステル樹脂製多重ボトル。
【発明の詳細な説明】
【技術分野】
【０００１】
本発明は、外殻ボトル内に配置された内容器体を備えるポリエステル樹脂製多重ボトルに関する。
【背景技術】
【０００２】
従来、外圧に対して原形復帰可能な外殻ボトルの内部に、外圧による減容により変形する（以下、「減容変形」ということがある）内容器体を配置し、該外殻ボトルと該内容器体との間に外気が導入されるようにした合成樹脂製多重ボトルが知られている（例えば、特許文献１、２参照）。
【０００３】
合成樹脂製多重ボトルは、外殻ボトルの胴部を押圧することにより、内容器体を減容変形させて内容器体に収容されている内容物を注出する一方、押圧が解除されると別途設けられた逆止弁等の作用により外殻ボトルと内容器体との間に外気が導入される。この結果、外気圧により外殻ボトルが原形復帰する一方、内容器体は減容変形された状態が維持される。このようにするときには、内容器体内に外気が侵入することが無いので、内容器体内に収容されている内容物が酸化等により変質することを防止することができる。
【先行技術文献】
【特許文献】
【０００４】
【特許文献１】特開２０１３−２４５０１０号公報
【特許文献２】特開２０１０−０８２９１６号公報
【発明の概要】
【発明が解決しようとする課題】
【０００５】
多重ボトルとしては従来減容変形が容易な軟質のポリエチレン樹脂製多重ボトルが実用化されているが、ポリエステル樹脂（例えば、ポリエチレンテレフタレート樹脂）は、ポリエチレン樹脂と比較して容器の透明感又は内容物の香味の保持性などが優れているため、多重ボトルもポリエチレン樹脂に変えてポリエステル樹脂で成形することが考えられる。
【０００６】
しかしながら、多重ボトルをポリエステル樹脂で成形する場合には、内容器体本体が外殻ボトルの内面に張り付いて外殻ボトルと内容器体本体との間に空気が入り難いという問題がある。また、ポリエステル樹脂では、ポリエチレン樹脂と比較して柔軟性が劣るため、容器体本体が減容変形し難いという問題がある。
【０００７】
本発明は、以上の点に鑑み、内容器体本体が外殻ボトルから剥離し易く、減容変形し易いポリエステル樹脂脂製多重ボトルを提供することを目的とする。
【課題を解決するための手段】
【０００８】
［１］上記目的を達成するため、本発明は、
円筒状の外口部と、該外口部に連接する肩部と、該肩部に連接する胴部と、該胴部に連接する底部と、を有し、外圧に対して原形復帰可能なポリエステル樹脂製の外殻ボトルと、
前記外殻ボトルの前記外口部内に配設される円筒状の内口部と、該内口部に連接し前記外殻ボトルの内面形状に沿う形状の内容器体本体と、を有し、外圧により変形するポリエステル樹脂製の内容器体と、
前記外口部と前記内口部との間に形成されて前記外殻ボトルと前記内容器体との間に外気を導入する通気路と、
を備えるポリエステル樹脂製多重ボトルであって、
前記肩部には、内側へ向かって凹む凹入部が設けられ、
前記外殻ボトルの内面と前記内容器体本体の外面との間には、前記凹入部の周囲に位置させて前記凹入部により空隙が形成され、
前記空隙は前記通気路と連通していることを特徴とする。
【０００９】
本発明によれば、外殻ボトルの肩部の内面と内容器体本体の外面との間には凹入部によって空隙が形成されるため、ポリエステル樹脂（例えば、ポリエチレンテレフタレート樹脂など）で外殻ボトルと内容器体を製造しても、空隙を介して通気路から吸い込まれた空気が外殻ボトルと内容器体本体との間に入り込み易くなり、外殻ボトルから内容器体本体を離れ易くすることができ、内容器体の減容変形が容易となる。
【００１０】
［２］また、本発明においては、前記凹入部は、前記肩部の上端部に設けられることが好ましい。かかる構成によれば、外口部と内口部との間に形成された通気路から吸い込まれる空気が空隙に導かれ易く、空隙を介して吸入空気が外殻ボトルと内容器体本体との間に容易に入り込み、外殻ボトルから内容器体本体を離れ易くすることができる。
【００１１】
［３］また、本発明においては、前記凹入部は、周方向に間隔を存して複数設けられていることがこのましい。凹入部は１つだけでも周りに空隙を形成するが、凹入部が周方向に間隔を存して複数設けられていれば、凹入部の周囲に位置させて空隙が形成されるため、より一層、外殻ボトルから内容器体本体を離れ易くすることができる。特に、外口部と内口部との間に形成される外気導入用の通気路が外口部と内口部との間において周方向に間隔を存して配置された複数本の縦スリットとして形成されている場合には、凹入部の周囲に形成された空隙が通気路と連通し内容器体本体の剥離を促進する起点として機能させることができる。
【００１２】
［４］また、本発明においては、凹入部を、肩部の表面における外口部の下端から胴部側へ向かう方向の長さ１２ｍｍの領域の範囲内に設けられ、肩部表面の上下方向長さが２ｍｍ〜８ｍｍ、周方向の長さを２ｍｍ〜８ｍｍ、肩部の表面において外側から内側へ向かう方向における凹み深さ１ｍｍ〜５ｍｍに設定することが好ましい。
【００１３】
このように構成することにより、内容器体本体の減容変形が容易となる。ここで凹入部が外口部下端から腹部側へ向かう方向の長さが１２ｍｍの領域の範囲外に設けられると、使用者が外殻ボトルを押圧させる位置に凹入部の位置が近くなり過ぎて、ポリエステル樹脂製多重ボトルのスクイズ性に悪影響を与える虞がある。また、凹入部が肩部表面において上下方向に８ｍｍを超えて縦長になり過ぎると縦リブ形状となって内容器体本体が減容変形し難くなり、また、外殻ボトルの肩部の強度が必要以上に増加することによって外殻ボトルのスクイズ性にも悪影響を及ぼす虞がある。また、凹入部が肩部表面において上下方向に２ｍｍ未満に形成したり、又は、肩部の表面において外側から内側へ向かう方向における凹み深さを１ｍｍ未満に形成すると、外殻ボトルと内容器体本体との間に適切な空隙を形成することができず、通気性が低下し、内容器体本体が外殻ボトルに張り付いて折り畳まれ難くなり減容変形し難くなる。
【００１４】
［５］また、本発明においては、前記外殻ボトル及び前記内容器体は、ポリエチレンテレフタレート樹脂からなることが好ましい。かかる構成によれば、ポリエチレンテレフタレート樹脂のような比較的硬い材料で外殻ボトル及び内容器体を製造しても、内容器体本体を外殻ボトルから容易に剥すことができる。
【００１５】
［６］また、本発明においては、前記肩部は、少なくとも一部が断面多角錐状に形成され、前記凹入部は、前記断面多角錐状の部分の隣接する角部同士の間に配置されていることが好ましい。
【００１６】
かかる構成とすることにより、肩部は、凹入部の周囲に形成された空隙と、空隙以外の肩部と内容器体本体とが密着した部分である密着部とが周方向に交互に存在することになり、外気が導入され、外圧がかかったとき、内容器体本体は、外殻ボトルからより早く剥離が進む部位と剥離し難い部位とが交互に形成された状態で、肩部から胴部に向かって内容器体本体の折り畳み減容変形が進行し、隙間の少ない減容変形が容易となる。
【００１７】
肩部の少なくとも一部が断面多角錐状にされているポリエステル樹脂製多重ボトルでは、肩部の断面多角錐状の部分の角部で外殻ボトルに内容器体本体が角部以外の部位よりも相対的に強く密着しており、内容器体本体の他の部分が外圧で押し潰されることにより、例えば断面星型状に内容器体本体をデッドスペースの少ない形状に押し潰すことができる。このとき、角部と角部との間に凹入部を設けておけば、外圧で潰れる部分に空気を導き易くなり、きれいに内容器体本体を減容変形させることができる。
【００１８】
［７］また、本発明においては、外殻ボトルと内容器体本体との間に離型剤を介在させることが好ましい。かかる構成によれば、より一層外殻ボトルから内容器体本体を剥離させ易くすることができる。離型剤としては、例えば、流動パラフィンやシリコン系化合物を用いることができる。
【図面の簡単な説明】
【００１９】
【図１】本発明のポリエステル樹脂製多重ボトルの実施形態を示す斜視図。
【図２】図１のＩＩ−ＩＩ線で切断した断面を示す説明図。
【図３】図２の凹入部を拡大して示す説明図。
【図４】本実施形態の凹入部と空隙の横断面を模式的に示す説明図。
【発明を実施するための形態】
【００２０】
図１及び図２に示すように、本実施形態のポリエステル樹脂製多重ボトル１は、外圧に対して原形復帰可能な外殻ボトル２と、外殻ボトル２の内側に収容され外圧により変形する内容器体３とからなる。
【００２１】
外殻ボトル２は、例えばポリエチレンテレフタレート樹脂製であり、円筒状外口部４と、外口部４に連接する肩部５と、肩部５に連接する円筒状胴部６と、円筒状胴部６に連接する底部７とを備えている。底部７は内周側に外殻ボトル２の内側に膨出してポリエステル樹脂製多重ボトル１に自立性を付与する凹部８を備えており、底部７と凹部８との間が接地部９となっている。
【００２２】
外口部４は外周面に雄ねじ部１０と、サポートリング１１とを備え、肩部５は外口部４に接する部分が四角錐状部１２となっており、四角錐状部１２の下方に四角錐状部１２から円筒状胴部６に向かって次第に拡径するとともに四角錐の角が滑らかになり円筒状胴部６に連なる胴部上部１３を備えている。
【００２３】
円筒状胴部６は、軸に直交する断面が円形状であり、段差部６ａを介して肩部５に連接する一方、段差部６ｂを介して底部７に連接している。段差部６ａは肩部５から円筒状胴部６に向かって次第に縮径しており、段差部６ｂは底部７から円筒状胴部６に向かって次第に縮径している。
【００２４】
また、円筒状胴部６は、肩部５に連接する段差部６ａの下端部から中央部６ｃに向かって次第に縮径し、中央部６ｃから底部７に連接する段差部６ｂの上端部に向かって次第に拡径する鼓状となっている。また、円筒状胴部６は軸方向に沿って複数のリブ１４を備えており、リブ１４は円筒状胴部６の全周に亘って形成されている。
【００２５】
底部７は、接地部９に接する部分が四角錐状部１５となっており、四角錐状部１５の上方に四角錐状部１５から円筒状胴部６に向かって次第に拡径するとともに四角錐の角が滑らかになり円筒状胴部６に連なる胴部下部１６を備えている。また、凹部８は、３段に積層された四角錐台状凹部８ａ，８ｂ，８ｃを備えている。
【００２６】
また、四角錐状部１２、１５はそれぞれ軸に直交する断面が四角形状であってその頂点にはＲが付されており、該頂点に稜線１２ａ、１５ａを備えている。ここで、稜線１５ａは図１に一点鎖線で示すように稜線１２ａの延長上に連なっている。
【００２７】
一方、内容器体３は、例えばポリエチレンテレフタレート樹脂製であり、外口部４の内周側に配設される円筒状内口部１７と、内口部１７に連接し、外殻ボトル２の肩部５、円筒状胴部６、底部７、凹部８、接地部９の内面形状に沿う形状の内容器体本体１８とを備えている。内口部１７は、上部に外口部４の上端よりも上方に延出された延出部１９と、延出部１９から径方向外方に張り出す鍔部２０とを備えており、鍔部２０により外口部４の上端縁に係止されている。
【００２８】
なお、外殻ボトル２と内容器体３に用いるポリエステル樹脂としては、ポリエチレンテレフタレート樹脂が好適であるが、それに限定されず、例えば、ポリブチレンテレフタレート樹脂、又はポリエチレンナフタレート樹脂などであってもよく、または公知のポリエステル樹脂を単独で、あるいは混合して使用してもよい。
【００２９】
また、内口部１７は、外周面に周方向に間隔を存して複数の縦溝２１を備えている。縦溝２１は鍔部２０の下面に形成された横溝２２に連設されており、横溝２２は鍔部２０の外周縁で外部に開放されている。この結果、縦溝２１及び横溝２２により、外殻ボトル２と内容器体３との間に外気を導入する通気路２３が形成されている。各縦溝２１は、内口部１７の下端まで延びている。
【００３０】
図３を参照して、肩部５の上端には、四角錐状部１２の角部としての４つの稜線１２ａの間に位置させて内側へ突出する４つの凹入部２５が夫々設けられている。図３、図４に示すように凹入部２５の周囲には、外殻ボトル２の内面と内容器体本体１８の外面との間に空隙２６が夫々形成される。空隙２６の上方には縦溝２１を有する通気路２３が位置しており、空隙２６は縦溝２１を有する通気路２３と連通している。図２、図３の一点鎖線は空隙２６の外縁を示している。
【００３１】
本実施形態のポリエステル樹脂製多重ボトル１は、図示しない逆止弁付きキャップが外殻ボトル２の外口部４に装着されて用いられるものであり、内容器体３に図示しない内容物が収容されており、該内容物を注出するときには、外口部４及び内口部１７を下方に向けて傾ける。そして、外殻ボトル２の円筒状胴部６を把持して押圧すると、内容器体本体１８が減容変形することにより、前記内容物が注出される。ポリエステル樹脂製多重ボトル１では、円筒状胴部６は軸に直交する断面が円形であるので軸に対して任意の方向から押圧することができ、また円筒状胴部６が鼓状であり、軸方向に沿って形成された複数のリブ１４を備えているので、その中央部６ｃを容易に把持して内容器体本体１８を減容変形させることができ、優れたスクイズ性を得ることができる。
【００３２】
次に、外殻ボトル２の円筒状胴部６の押圧を解除すると、外殻ボトル２と内容器体本体１８との間に通気路２３の縦溝２１から外気が導入され、外気圧により外殻ボトル２は原形に復帰するが内容器体本体１８は減容変形したままの状態が維持される。
【００３３】
このとき、前記内容物は重力により内口部１７方向に集中しているので、内容器体本体１８は外殻ボトル２の底部７の四角錐状部１５に対応する部分において、稜線１５ａ，１５ａに挟まれる部分に対応する側面部分に内容器体本体１８の内側への谷折れ部が形成されて内側に没入することにより、谷折れ変形が始まる。
【００３４】
本実施形態のポリエステル樹脂製多重ボトル１は、外殻ボトル２における底部７の接地部９に連接する部分が四角錐状部１５となっており、内容器体本体１８は外殻ボトル２の内部形状に沿う形状を備えている。そこで、前記谷折れ変形は、内容器体本体１８における稜線１５ａに対応する部分がリブとして作用し、稜線１５ａ，１５ａに挟まれる部分に対応する側面部分より強度が大きくなるため、図１及び図２の符号２７で示すように、より強度の小さい側面部分の中心部に谷折れ部が形成されることにより始まる。
【００３５】
ポリエステル樹脂製多重ボトル１では、外殻ボトル２の円筒状胴部６の押圧と該押圧の解除とを繰り返すことにより次第に前記内容物が減少する。前記内容物が減少すると、内容器体本体１８の谷折れ変形が、外殻ボトル２の底部７の四角錐状部１５に対応する部分を起点として、幅方向では内容器体本体１８の外側から内方に向けて進行し折り畳まれる。
【００３６】
本実施形態においては、肩部５には、凹入部２５の周囲に形成された空隙２６と、空隙２６以外の密着している密着部とが周方向に交互に存在することになり、外気が導入され、外圧がかかったとき、肩部５に対応する内容器体本体１８の部分は、より早く外殻ボトル２から剥離し、折り畳まれた部位が谷部となり折り畳み減容変形が進行し、内容器体本体１８の隙間の少ない減容変形が行われる。この結果、内容器体本体１８に収容されている内容物を余すことなく注出することができ、残液量を減少させることができる。
【００３７】
また、本実施形態のポリエステル樹脂製多重ボトル１は、四角錐台状凹部８ａ，８ｂ，８ｃからなる形状の凹部８を備えているので、ブロー成形時の加熱圧着により、内容器体本体１８が外殻ボトル２に密着している。また、凹部８は四角錐台状凹部８ａ，８ｂ，８ｃからなり、多数の段差部と屈曲部とを備えていることにより、凹部８においては外殻ボトル２と内容器体本体１８との間に外気が侵入することがない。
【００３８】
従って、外殻ボトル２の長さ方向に沿って谷折れ部１８ａが形成される間に、凹部８において外殻ボトル２から内容器体本体１８が剥離することがなく、内容器体本体１８に収容されている内容物をさらに確実に注出することができ、残液量を減少させることができる。
【００３９】
本実施形態の肩部５に凹入部２５が形成されたポリエステル樹脂製多重ボトル１は、ポリエチレンテレフタレート樹脂からなる外殻ボトル２用の外プリフォームと内容器体３用の内プリフォームとを用いて、外プリフォームに内プリフォームを挿入し、両プリフォームの間に離型剤（好ましくは、流動バラフィン）を介在させ、外殻ボトル２の肩部５の上端部に凹入部２５が形成されるように設計されたブロー成形金型を用いて、金型の内部に両プリフォームを配置して、両方同時にブロー成形することにより得られる。
【００４０】
このようにして製造される多重ボトルの外口部４と内口部１７の間には通気路２３が設けられており、肩部５には、凹入部２５が形成され、肩部５と内容器体本体１８との間には凹入部２５の周囲に内容器体本体１８が外殻ボトル２の肩部５から離隔した空隙２６が形成される。
【００４１】
本実施形態のポリエステル樹脂製多重ボトル１によれば、外殻ボトル２の内面と内容器体本体１８の外面との間に空隙２６が設けられているため、比較的硬い材料であるポリエチレンテレフタレート樹脂などで外殻ボトルと内容器体を製造しても、通気路２３から取り込まれる空気が空隙２６に入り込むことによって、外殻ボトル２から内容器体本体１８を離れ易くすることができる。
【００４２】
また、凹入部２５は、肩部５の上端に設けられている。かかる構成によれば、外口部４と内口部１７との間に形成された通気路２３から吸い込まれる空気が空隙２６に導かれ易く、更に、外殻ボトル２から内容器体本体１８を離れ易くすることができる。
【００４３】
また、本実施形態においては、凹入部２５は、周方向に間隔を存して４つ設けられている。凹入部２５は１つだけでも周りに空隙２６を形成するが、凹入部２５が周方向に間隔を存して複数設けられていれば、更に、外殻ボトル２から内容器体本体１８を離れ易くすることができる。
【００４４】
また、本実施形態においては、図３に示すように、凹入部２５は、外口部４の下端部から胴部６に向けて１２ｍｍの範囲の肩部５の表面に、肩部５の表面の上下方向長さＬ１が２ｍｍ〜８ｍｍ、肩部５の周方向の横幅Ｌ２が２ｍｍ〜８ｍｍ、肩部５の厚み方向に対する凹み深さＬ３が１ｍｍ〜５ｍｍ、となるように設定されることが好ましい。これにより、多重ボトルのブロー成形後に凹入部２５の周囲に、通気路２３に連通する空隙２６が形成され、内容器体本体１８が減容変形し易い、ポリエステル樹脂製多重ボトルを得ることができる。
【００４５】
凹入部２５が上下方向に長すぎると縦リブ形状となり、縦リブ形状の影響が内容器体本体１８にも及んで強度が増加し、内容器体本体１８が減容変形し難くなる。また、外殻ボトル２も縦リブ形状によって、肩部５の強度が必要以上に高くなり過ぎて、外殻ボトル２のスクイズ性に悪影響を及ぼす虞がある。
【００４６】
また、凹入部２５の横幅が８ｍｍを超えると、空隙２６が横に広がり過ぎ、内容器体本体１８の折り畳み性が低下する虞がある。また、外口部４の下端部から胴部６に向けて幅１２ｍｍの範囲外の肩部５の表面に凹入部２５を形成すると、使用者が外殻ボトル２を押圧させる位置に凹入部２５の位置が近くなり過ぎて、ポリエステル樹脂製多重ボトル１のスクイズ性を低下させる虞があり、また、空隙２６が下方に位置しすぎて通気路２３から入り込む空気が空隙２６に入り込み難く、内容器体本体１８の折り畳み減容変形が困難となる。
【００４７】
また、本実施形態においては、周方向に間隔を存して複数形成された縦溝２１を有する通気路２３は、空隙２６の直上に位置している。かかる構成によれば、縦溝２１を有する通気路２３から吸い込まれた空気が空隙２６に導かれ易く、更に、内容器体本体１８を外殻ボトル２から容易に剥すことができる。
【００４８】
また、本実施形態においては、肩部５は、少なくとも一部が断面多角錐状に形成され、凹入部２５は、断面多角錐状の部分の角部である稜線１２ａの間に配置されている。肩部５の少なくとも一部が断面多角錐状にされているポリエステル樹脂製多重ボトル１は、肩部５の断面多角錐状の部分（四角錐状部１２）の角部（稜線１２ａ）で外殻ボトル２に内容器体本体１８が張り付いて剥がれ難くなり、内容器体本体１８の他の部分が外圧で押し縮められることにより、断面星型状に内容器体本体１８をデッドスペース（押し潰せない空間部分）の少ない形状に減容変形することができる。このとき、角部である稜線１２ａと稜線１２ａとの間に凹入部２５を設けておけば、外圧で潰れる部分に空気を導き易くなり、きれいに内容器体本体１８を断面星型状に押し潰すことができる。
【００４９】
尚、本実施形態では、外殻ボトル２における肩部５の外口部４に連接する部分を四角錐状部１２としているが、肩部５全体を四角錐状部１２としてもよい。また、本実施形態では、外殻ボトル２における底部７の接地部９に連接する部分を四角錐状部１５としているが、底部７全体を四角錐状部１５としてもよい。
【００５０】
また、本実施形態では、外殻ボトル２における四角錐状部１２，１５を軸に直交する断面が四角形状である四角錐状としているが、四角錐状部１２，１５は軸に直交する断面が三角形状である三角錐状、五角形状である五角錐状、六角形状である六角錐状のいずれか１つの多角錐状であってもよい。また、前記多角錐状は、多角形の頂点がカットされ、或いは多角形の頂点にＲが付されていてもよく、さらに、前記頂点に挟まれた辺を外方に膨出させてもよく、膨出させた辺に１以上の頂点を備えていてもよい。
【００５１】
また、本実施形態では、外殻ボトル２の胴部６を肩部５に連接する段差部６ａの下端部から中央部６ｃに向かって次第に縮径し、中央部６ｃから底部７に連接する段差部６ｂの上端部に向かって次第に拡径する鼓状としているが、胴部６は段差部６ａの下端部から段差部６ｂの上端部まで同一径の円筒状としてもよい。
【００５２】
また、本実施形態では、外口部４の外周面に雄ねじ部１０を備える構成としているが、外口部４は雄ねじ部１０を備えない単なる円筒状であってもよく、このようにすることにより例えば醤油ボトル等の打栓式口部等に適用することができる。
【符号の説明】
【００５３】
１  ポリエステル樹脂製多重ボトル
２  外殻ボトル
３  内容器体
４  外口部
５  肩部
６  胴部
６ａ  段差部
６ｂ  段差部
７  底部
８  錐台状凹部
９  接地部
１０  雄ねじ部
１１  サポートリング
１２  四角錐状部
１２ａ  稜線（角部）
１３  胴部上部
１４  リブ
１５  四角錐状部
１５ａ  稜線
１６  胴部下部
１７  内口部
１８  内容器体本体
１９  延出部
２０  鍔部
２１  縦溝
２２  横溝
２３  通気路
２５  凹入部
２６  空隙
２７  谷折れ部
【図１】
2019094072.tif 000003
【図２】
2019094072.tif 000004
【図３】
2019094072.tif 000005
【図４】
2019094072.tif 000006